(57)【要約】【課題】心土破砕体の破損を防止でき、複数の付勢体にて心土破砕体をもとの作業状態にスムーズに戻すことができる農作業機を提供する。【解決手段】農作業機１は、トラクタに連結する作業機本体５と、作業機本体５に設けた耕耘体11と、作業機本体５に設けた整地体16とを備える。作業機本体５の破砕体被取付部31には心土破砕体30を上下回動可能に取り付ける。破砕体被取付部31の左右両側方には心土破砕体30を下方に向けて付勢する複数のコイルばね41を配設する。各コイルばね41の付勢力がそれぞれ個別に調整可能である。【選択図】図１
2010081932.tif 000002
【特許請求の範囲】
【請求項１】
走行車に連結され、破砕体被取付部を有する作業機本体と、
この作業機本体に設けられ、耕耘作業をする耕耘体と、
前記作業機本体に設けられ、前記耕耘体の後方で整地作業をする整地体と、
前記破砕体被取付部に上下方向に回動可能に取り付けられ、心土破砕作業をする心土破砕体と、
前記破砕体被取付部の左右両側方に配設され、前記心土破砕体を下方に向けて付勢する複数の付勢体と
を備えることを特徴とする農作業機。
【請求項２】
各付勢体の付勢力がそれぞれ個別に調整可能となっている
ことを特徴とする請求項１記載の農作業機。
【請求項３】
心土破砕体の左右位置が調整可能となっており、
前記心土破砕体は、走行車の後輪の後方かつ耕耘体の前方で心土破砕作業をする
ことを特徴とする請求項１または２記載の農作業機。
【請求項４】
走行車の後輪の後方かつ耕耘体の前方で心土破砕作業をする複数の心土破砕体を備え、
互いに近接して隣り合う心土破砕体の前後位置が異なっている
ことを特徴とする請求項３記載の農作業機。
【請求項５】
各付勢体が外部に露出している
ことを特徴とする請求項１ないし４のいずれか一記載の農作業機。
【請求項６】
作業機本体の破砕体被取付部に回動可能に取り付けられ、ロッド用孔部を有する回動体と、
前記ロッド用孔部に挿通され、心土破砕体の回動に連動して上下動するロッドと、
このロッドの上端側に螺合され、前記心土破砕体の作業深さを調整するための作業深さ調整用ナットと、
前記ロッドの下端側に螺合され、付勢体の付勢力を調整するための付勢力調整用ナットとを備え、
前記回動体と前記付勢力調整用ナットとの間に付勢体が配設されている
ことを特徴とする請求項１記載の農作業機。
【請求項７】
破砕体被取付部が、作業機本体の取付部に上下位置調整可能に取り付けられている
ことを特徴とする請求項１ないし６のいずれか一記載の農作業機。
【請求項８】
心土破砕体は、
前受部分および後受部分を有する心土破砕本体部と、
この心土破砕本体部の下端部に回動可能に設けられ、一の状態時には前記前受部分と当接し、他の状態時には前記後受部分と当接するチゼル部とを有する
ことを特徴とする請求項１ないし７のいずれか一記載の農作業機。
【発明の詳細な説明】
【技術分野】
【０００１】
本発明は、心土破砕体の破損を防止可能な農作業機に関するものである。
【背景技術】
【０００２】
従来、例えば下記の特許文献１に記載された農作業機が知られている。この従来の農作業機は、走行車であるトラクタの後部に連結される作業機本体と、作業機本体に設けられ耕耘作業をする耕耘体と、作業機本体に設けられ耕耘体の後方で整地作業をする整地体と、作業機本体に設けられ耕耘体の後方で心土破砕作業をする心土破砕体（サブソイラ体）とを備えている。
【先行技術文献】
【特許文献】
【０００３】
【特許文献１】特開２００５−２８７４３９号公報（図１）
【発明の概要】
【発明が解決しようとする課題】
【０００４】
しかしながら、上記従来の農作業機では、例えば圃場の土中の石等の障害物が心土破砕体に当たった場合に、心土破砕体が破損するおそれがある。
【０００５】
本発明は、このような点に鑑みなされたもので、心土破砕体の破損を防止でき、しかも、複数の付勢体にて心土破砕体を下方に回動させてもとの作業状態にスムーズに戻すことができる農作業機を提供することを目的とする。
【課題を解決するための手段】
【０００６】
請求項１記載の農作業機は、走行車に連結され、破砕体被取付部を有する作業機本体と、この作業機本体に設けられ、耕耘作業をする耕耘体と、前記作業機本体に設けられ、前記耕耘体の後方で整地作業をする整地体と、前記破砕体被取付部に上下方向に回動可能に取り付けられ、心土破砕作業をする心土破砕体と、前記破砕体被取付部の左右両側方に配設され、前記心土破砕体を下方に向けて付勢する複数の付勢体とを備えるものである。
【０００７】
請求項２記載の農作業機は、請求項１記載の農作業機において、各付勢体の付勢力がそれぞれ個別に調整可能となっているものである。
【０００８】
請求項３記載の農作業機は、請求項１または２記載の農作業機において、心土破砕体の左右位置が調整可能となっており、前記心土破砕体は、走行車の後輪の後方かつ耕耘体の前方で心土破砕作業をするものである。
【０００９】
請求項４記載の農作業機は、請求項３記載の農作業機において、走行車の後輪の後方かつ耕耘体の前方で心土破砕作業をする複数の心土破砕体を備え、互いに近接して隣り合う心土破砕体の前後位置が異なっているものである。
【００１０】
請求項５記載の農作業機は、請求項１ないし４のいずれか一記載の農作業機において、各付勢体が外部に露出しているものである。
【００１１】
請求項６記載の農作業機は、請求項１記載の農作業機において、作業機本体の破砕体被取付部に回動可能に取り付けられ、ロッド用孔部を有する回動体と、前記ロッド用孔部に挿通され、心土破砕体の回動に連動して上下動するロッドと、このロッドの上端側に螺合され、前記心土破砕体の作業深さを調整するための作業深さ調整用ナットと、前記ロッドの下端側に螺合され、付勢体の付勢力を調整するための付勢力調整用ナットとを備え、前記回動体と前記付勢力調整用ナットとの間に付勢体が配設されているものである。
【００１２】
請求項７記載の農作業機は、請求項１ないし６のいずれか一記載の農作業機において、破砕体被取付部が、作業機本体の取付部に上下位置調整可能に取り付けられているものである。
【００１３】
請求項８記載の農作業機は、請求項１ないし７のいずれか一記載の農作業機において、心土破砕体は、前受部分および後受部分を有する心土破砕本体部と、この心土破砕本体部の下端部に回動可能に設けられ、一の状態時には前記前受部分と当接し、他の状態時には前記後受部分と当接するチゼル部とを有するものである。
【発明の効果】
【００１４】
請求項１に係る発明によれば、土中の石等の障害物が心土破砕体に当接した場合、心土破砕体は上方に回動するため、心土破砕体の破損を防止でき、しかも、その障害物との当接後、複数の付勢体にて心土破砕体を下方に回動させてもとの作業状態にスムーズに戻すことができる。
【００１５】
請求項２に係る発明によれば、各付勢体の付勢力をそれぞれ個別に調整できるため、複数の付勢体にて心土破砕体をもとの作業状態により一層スムーズに戻すことができる。
【００１６】
請求項３に係る発明によれば、心土破砕体の左右位置を調整でき、心土破砕体が走行車の後輪の後方かつ耕耘体の前方で心土破砕作業をするため、心土破砕体にてより一層適切な心土破砕作業ができる。
【００１７】
請求項４に係る発明によれば、互いに近接して隣り合う心土破砕体の前後位置が異なっているため、スムーズな土の流れを確保でき、複数の心土破砕体にて適切かつ確実な心土破砕作業ができる。
【００１８】
請求項５に係る発明によれば、各付勢体が外部に露出しているため、カバーで覆った場合に比べて、付勢体の状態を容易に確認できるとともに、付勢体の交換も簡単にできる。
【００１９】
請求項６に係る発明によれば、ロッドの上端側に螺合された作業深さ調整用ナットによって心土破砕体の作業深さを簡単に調整でき、ロッドの下端側に螺合された付勢力調整用ナットによって付勢体の付勢力を簡単に調整できる。
【００２０】
請求項７に係る発明によれば、破砕体被取付部の上下位置を調整することによって心土破砕体の作業深さを簡単に調整できる。
【００２１】
請求項８に係る発明によれば、心土破砕体は心土破砕本体部とこの心土破砕本体部の下端部に回動可能に設けられ一の状態時には前受部分と当接し他の状態時には後受部分と当接するチゼル部とを有するため、例えばチゼル部が心土破砕本体部の下端部に固設された構成等に比べて、耐久性の向上を図ることができる。
【図面の簡単な説明】
【００２２】
【図１】本発明の第１の実施の形態に係る農作業機の側面図である。
【図２】同上農作業機の平面図である。
【図３】同上農作業機の心土破砕体が上方回動した状態の側面図である。
【図４】同上農作業機の要部側面図である。
【図５】同上農作業機の要部正面図である。
【図６】本発明の第２の実施の形態に係る農作業機の要部側面図である。
【図７】同上農作業機の要部正面図である。
【図８】本発明の第３の実施の形態に係る農作業機の要部正面図である。
【図９】本発明の第４の実施の形態に係る農作業機の要部側面図である。
【図１０】本発明の第５の実施の形態に係る農作業機の平面図である。
【図１１】本発明の第６の実施の形態に係る農作業機の平面図である。
【図１２】本発明の第７の実施の形態に係る農作業機の要部側面図である。
【図１３】同上農作業機の取付板を示す側面図である。
【図１４】同上農作業機の一の状態時のチゼル部を示す側面図である。
【図１５】同上農作業機の他の状態時のチゼル部を示す側面図である。
【発明を実施するための形態】
【００２３】
本発明の農作業機の第１の実施の形態を図面を参照して説明する。
【００２４】
図１および図２において、１は農作業機で、この農作業機１は、走行車であるトラクタ２の後部に連結されトラクタ２の走行により圃場を前方に移動しながら耕耘整地作業等を行なうものである。
【００２５】
農作業機１は、図１および図２に示されるように、トラクタ２が後部に有する図示しない３点リンクヒッチ部（作業機昇降支持部）に連結された作業機本体５を備えている。
【００２６】
作業機本体５は、左右方向長手状で断面略円形状のフレームパイプ等の主フレーム部６を有し、この主フレーム部６の左右方向中央部にはミッションケース等の軸保持部７が設けられている。軸保持部７にはトラクタ２からの動力を入力する略前後方向の入力軸８が回転可能に設けられ、この入力軸８はトラクタ２のＰＴＯ軸にジョイントおよび伝動シャフト等からなる動力伝達手段（図示せず）を介して接続されている。また、主フレーム部６の左端部にはチェーンケース部９が設けられ、主フレーム部６の右端部にはブラケット部10が設けられている。
【００２７】
そして、作業機本体５のチェーンケース部９およびブラケット部10には、入力軸８側からの動力によって所定方向に回転しながら耕耘作業をするロータリー式の耕耘体11が設けられている。耕耘体11は、チェーンケース部９およびブラケット部10に架設された左右方向の回転軸12と、この回転軸12に取り付けられこの回転軸12とともに回転して耕耘作業をする複数の耕耘爪13とを有している。
【００２８】
また、耕耘体11の上方部は作業機本体５の略円弧板状のカバー部15にて覆われており、このカバー部15の後端部には、耕耘体11の後方で整地作業をする略板状の均平板等の整地体16が上下方向に回動可能に設けられている。すなわち例えば整地体16の前端部が作業機本体５のカバー部15の後端部に左右方向の軸17を介して回動可能に取り付けられている。整地体16は、整地作業をする略板状の整地本体部18と、この整地本体部18に突設された連結部19とを有している。整地体16の連結部19と作業機本体５の連結部20とが整地体16の接地圧を調整可能な連結手段21にて連結されている。連結手段21は、連結ロッド22およびこの連結ロッド22の外周に配設された複数のコイルばね23等にて構成されている。
【００２９】
また一方、作業機本体５は、主フレーム部６に連結板部25を介して連結され主フレーム部６より前方にこの主フレーム部６と平行に位置する左右方向長手状で断面略正方形状のヒッチパイプ等の副フレーム部26を有している。
【００３０】
副フレーム26には、左右対をなす略板状の破砕体被取付部31が取付ボルト32、ナット35および取付板33等を介して左右位置調整可能に取り付けられている。そして、各破砕体被取付部31には、トラクタ２の後輪（後輪タイヤ）３の後方かつ耕耘体11の前方で心土破砕作業をするサブソイラ体である心土破砕体30が左右方向の軸34を中心として上下方向に回動可能に取り付けられている。つまり、農作業機１は左右方向の軸34を中心として作業状態および障害物退避状態間で上下回動可能な左右一対の心土破砕体30を備えている。なお、ここでいうトラクタ２の後輪３の後方とは、後輪３の真後ろの位置のほか、その真後ろの位置から左右方向に少しずれた位置も含む意味である。
【００３１】
すなわち図３に示すように、心土破砕体30は、作業状態で作業している際に、圃場の土中の石等の障害物Ａに当接すると、左右方向の軸34を中心として上方に回動する。
【００３２】
この心土破砕体30は、上下方向長手状で略板状の心土破砕本体部であるナイフ部36と、このナイフ部36の下端部に設けられた先金等の刃部であるチゼル部37とを有し、ナイフ部36の上端部が破砕体被取付部31に左右方向の軸34を介して回動可能に取り付けられている。なお、各破砕体被取付部31は、互いに近接して対向した２枚の対向板31aにて構成されており、両対向板31aの下端部間にナイフ部36の上端部が挿入されて軸34にて回動可能に支持されている。
【００３３】
また、図４および図５に示すように、農作業機１は、作業機本体５の略板状の破砕体被取付部31の左右両側方に近接状に配設され、心土破砕体30を下方に向けて付勢することにより心土破砕体30を左右方向の軸34を中心として下方に回動させて障害物Ａとの当接前のもとの作業状態に戻す複数の略円筒状の付勢体であるコイルばね41を備えている。つまり、各心土破砕体30ごとに複数、例えば２本ずつ配設され、それぞれ１つの心土破砕体30が対応する左右２本の弾性変形可能な圧縮ばねであるコイルばね41にて左右両側から下方に向けて付勢されている。そして、この各コイルばね41の付勢力がそれぞれ個別に調整可能となっている。
【００３４】
ここで、図４および図５に示されるように、心土破砕体30のナイフ部36の上部には左右方向に軸方向を有する軸状体（回動支点）42が固着され、この軸状体42の軸方向両端側の外周面には外形略直方体状の回動体である下回動体43が左右方向の軸である軸状体42を中心として回動可能に取り付けられている。
【００３５】
下回動体43には上方に向って開口するねじ孔部44が形成され、このねじ孔部44には連動体としての長手状部材であるロッド45の下端部が螺入され、固定用ナット46にてそのロッド45の下端部が下回動体43に対して固定されている。つまりロッド45の下端部は、軸状体42および下回動体43を介して心土破砕体30に連結されている。
【００３６】
ロッド45は、心土破砕体30の破砕体被取付部31に対する上下方向の回動に連動してその破砕体被取付部31に対して上下動するもので、少なくとも下端側外周面および上端側外周面にねじ溝45aが形成され、このロッド45の外周にコイルばね41が配設されている。つまりコイルばね41内にロッド45の長手方向中間部が挿通されている。
【００３７】
また、このロッド45の上端側は、破砕体被取付部31の上端部に左右方向の軸50を中心として回動可能に取り付けられた略円筒状の回動体である上回動体（タンブラ等）51のロッド用孔部52にこの上回動体51に対して上下動可能に挿通されている。この上回動体51は、破砕体被取付部31の上端部に略コ字状の枠53および軸50を介して回動可能に取り付けられている。つまり上回動体51は、破砕体被取付部31に取り付けられた一方側の軸50と破砕体被取付部31に固着した枠53に取り付けられた他方側の軸50とによって回動可能に支持されている。
【００３８】
そして、ロッド45の上端側外周面のねじ溝45aには、心土破砕体30の破砕体被取付部31に対する回動に基づき心土破砕体30の作業深さを調整するための２つの作業深さ調整用ナット（ダブルナット）56が螺合されている。ロッド45の下端側外周面のねじ溝45aには、心土破砕体30に対するコイルばね41の付勢力を調整するための付勢力調整用ナット（ダブルナット）57が螺合されている。
【００３９】
また、上回動体51の上端と作業深さ調整用ナット56との間には、略円筒状のカラー等のスペーサ58が配設されている。上回動体51の下端と付勢力調整用ナット57との間には、コイルばね41が所望量だけ圧縮された状態で配設されている。すなわち例えばコイルばね41の上端が上回動体51の下端に当接し、コイルばね41の下端がリング状のばね受け59を介して付勢力調整用ナット57に当接している。
【００４０】
なお、図３および図４に示されるように、心土破砕体30を回動可能に支持する破砕体被取付部31は、作業機本体５の取付部である取付板33に対して複数、例えば２本の止めピン61，62によって取り付けられている。また、破砕体被取付部31に形成されたフック部である係合凹部64が、取付板33に取り付けられた係合ピン63に引っ掛かって係合している。そして、この破砕体被取付部31は工具レスで取付板33に対して脱着可能となっている。なお、止めピン61は必ずしも必要ではない。
【００４１】
次に、農作業機１の作用等を説明する。
【００４２】
農作業機１をトラクタ２の走行により前方に移動させると、所定方向に回転する耕耘体11が耕耘作業を行い、この耕耘体11の後方では整地体16が整地作業を行う。また、耕耘体11の前方では、トラクタ２の後輪３の後方で、チゼル部37が耕耘体11の下端より下方に位置する作業状態の心土破砕体30が、耕盤層および心土層等の硬盤の土を破砕する心土破砕作業を行う。
【００４３】
この作業時に、図３に示すように、作業状態の心土破砕体30のチゼル部37に土中の石等の障害物Ａが当接すると、心土破砕体30は、破砕体被取付部31に対して左右両側の弾性体であるコイルばね41の付勢力に抗して軸34を中心として上方に回動し、障害物退避状態になる。この際、心土破砕体30の回動に連動してロッド45が上動し、この上動に応じて左右両側のコイルばね41が圧縮弾性変形する。
【００４４】
その後、心土破砕体30は、チゼル部37から障害物Ａが離れると、左右両側のコイルばね41の弾性復元力である付勢力に基づき、破砕体被取付部31に対して軸34を中心として下方に回動し、もとの作業状態に復帰する。
【００４５】
そして、このような農作業機１によれば、土中の石等の障害物Ａが心土破砕体30に当接した場合、心土破砕体30は上方に回動して跳ね上がるため、心土破砕体30の破損を防止でき、しかも、その障害物Ａとの当接後、左右両側のコイルばね41の付勢力によって心土破砕体30を下方に回動させてもとの作業状態に素早くスムーズに戻すことができ、よって、より適切な心土破砕作業を行うことができる。
【００４６】
また、心土破砕体30を付勢する複数のコイルばね41の各々の付勢力をそれぞれ個別に調整できるため、複数のコイルばね41にて心土破砕体30をもとの作業状態により一層素早くスムーズに戻すことができ、しかも、その付勢力の調整は、ロッド45の下端側に螺合された２つの付勢力調整用ナット57を回動操作することによって簡単に行なうことができる。
【００４７】
さらに、心土破砕体30を破砕体被取付部31に対して所望量回動させることにより破砕体被取付部31に対して心土破砕体30の作業深さ（心土破砕体30の下端位置）を調整できるため、心土破砕体30にて適切な心土破砕作業ができ、しかも、その作業深さの調整は、ロッド45の上端側に螺合された２つの作業深さ調整用ナット56を回動操作することによって簡単に行なうことができる。
【００４８】
また、破砕体被取付部31の副フレーム部26に対する取付位置を変更することにより心土破砕体30の左右位置を調整でき、心土破砕体30がトラクタ２の後輪３の後方かつ耕耘体11の前方で心土破砕作業を行うため、心土破砕体30にてより一層適切な心土破砕作業ができる。
【００４９】
さらに、各コイルばね41が外部に露出しているため、例えばコイルばね41をカバーで覆った場合に比べて、コイルばね41の圧縮状態を容易に確認でき、コイルばね41の強弱等を容易に判断できるとともに、各コイルばね41の交換も簡単にでき、またカバー内に水分が貯まる不具合もなく、耐久性が向上する。
【００５０】
なお、上記第１の実施の形態では、破砕体被取付部31の左右両側方に１本ずつ配設した２本のコイルばね（第１ばねおよび第２ばね）41で心土破砕体30を下方に付勢する構成について説明したが、例えば図６および図７に示す第２の実施の形態のように、心土破砕体30と破砕体被取付部31との間に略円筒状の付勢体であるコイルばね（第３ばね）71を配設し、これら３本のコイルばね41，71にて心土破砕体30を下方に付勢する構成でもよい。
【００５１】
図６および図７に示すコイルばね71は、伸縮可能な連結体72の上下の２つのばね受け73間に圧縮された状態で装着され、連結体72の下端部が心土破砕体30に左右方向の軸74を介して回動可能に連結され、連結体72の上端部が破砕体被取付部31に左右方向の軸75を介して回動可能に連結されている。
【００５２】
また、図８に示す第３の実施の形態のように、破砕体被取付部31の左右両側方に２本ずつ配設し左右に一直線に並んだ４本のコイルばね41で心土破砕体30を下方に付勢する構成でもよい。
【００５３】
さらに、図９に示す第４の実施の形態のように、破砕体被取付部31の左右両側方に２本ずつ前後に並べて配設した４本のコイルばね41で心土破砕体30を下方に付勢する構成でもよい。
【００５４】
また、例えば図示しないが、破砕体被取付部31の左右両側方に３本ずつ配設した６本のコイルばね41で心土破砕体30を下方に付勢する構成等でもよい。
【００５５】
さらに、左右一対の心土破砕体30を備えた構成には限定されず、トラクタ２の後輪３の後方かつ耕耘体11の前方で心土破砕作業をする複数の心土破砕体30を備えた構成、すなわち例えば図１０に示す第５の実施の形態のように左右両側に心土破砕体30を複数、例えば２つずつ互いに近接して配設した構成や、図１１に示す第６の実施の形態のように左右両側に心土破砕体30を３つずつ互いに近接して配設した構成等でもよい。
【００５６】
この図１０および図１１に示す構成では、互いに近接して隣り合う心土破砕体30の前後位置が異なっている。互いに近接して隣り合う心土破砕体30の前後位置が同じである場合には、作業時に近接して隣り合う心土破砕体30間に土がたまりやすく、作業不能となるおそれがあるが、互いに近接して隣り合う心土破砕体30の前後位置をずらすことで、両心土破砕体30間の間隙を広くすることなく、スムーズな土の流れを確保でき、作業不能となることを防止できる。
【００５７】
また一方、農作業機１は、第７の実施の形態のもの、つまり図１２に示す構成を備えたものであってもよい。
【００５８】
この図１２に示す構成では、作業機本体５の破砕体被取付部31が取付部である取付板33に複数段階、例えば２段階に上下位置調整可能に取り付けられている。
【００５９】
取付板33は、図１３に示すように、上下方向に間隔をおいて並んだ複数、例えば５つの孔部を有している。つまり、取付板33は、上から順に、第１ボルト孔部81、第１ピン孔部兼第２ボルト孔部82、第２ピン孔部83、第１ボルト孔部84、および第２ボルト孔部85を有している。また、取付板33は、副フレーム26の前部と嵌合する側面視略く字状のフレーム嵌合部86を有している。
【００６０】
そして、図１２に示す状態では、係合ピン63が第１ピン孔部兼第２ボルト孔部82に挿通され、この挿通された係合ピン63に対して抜止めピン（図示せず）が差し込まれることによりその係合ピン63が取付板33に抜止め状態に取り付けられている。そして、破砕体被取付部31のフック状の係合凹部64が、係合ピン63に引っ掛かって係合している。
【００６１】
また、この図１２に示す状態では、互いに一致した破砕体被取付部31の上側ボルト孔部（図示せず）および第１ボルト孔部81に上側ボルト91が挿通され、この挿通された上側ボルト91にナット（図示せず）が螺合締付され、かつ、互いに一致した破砕体被取付部31の下側ボルト孔部（図示せず）および第１ボルト孔部84に下側ボルト92が挿通され、この挿通された下側ボルト92にナット（図示せず）が螺合締付されている。
【００６２】
このように、２本のボルト91，92および１本の係合ピン63を介して、破砕体被取付部31が取付板33に取り付けられている。なお、破砕体被取付部31を取付板33に取り付ける場合、最初に係合ピン63を第１ピン孔部兼第２ボルト孔部82に挿通して取付板33に取り付け、その係合ピン63に係合凹部64を引っ掛けることにより、破砕体被取付部31は係合ピン63を中心として回動可能な状態となり、その結果、破砕体被取付部31のボルト孔部と取付板33のボルト孔部81，84との位置合わせを容易に行うことが可能となる。
【００６３】
そして、図１２に示す状態よりも、破砕体被取付部31の取付板33に対する上下位置（高さ位置）を低くする場合、つまり心土破砕体30の作業深さを低くする場合には、係合ピン63を第２ピン孔部83に挿通し、上側ボルト91を第１ピン孔部兼第２ボルト孔部82に挿通し、下側ボルト92を第２ボルト孔部85に挿通すればよい。つまり、２本のボルト91，92および１本の係合ピン63の差し込む孔位置を換えることにより、破砕体被取付部31が取付板33に対して上下位置調整可能となっている。
【００６４】
なお、破砕体被取付部31が取付板33に対して２段階に上下位置調整可能な構成には限定されず、３段階、４段階や５段階以上、或いは無段階に上下位置調整可能な構成とすることも可能である。
【００６５】
また、図１２に示す心土破砕体30が有する心土破砕本体部であるナイフ部36は、下部前面に前受部分95を有し、下部後面に後受部分96を有している。ナイフ部36の下端部には、チゼル部37が左右方向の軸99を中心として上下方向に回動可能に設けられている。そして、チゼル部37は、一の状態時には前当接部分97が前受部分95と当接し、他の状態時には後当接部分98が後受部分96と当接する。
【００６６】
すなわち図１４に示すように、一の状態時つまり通常作業時（異物がない場合）には、チゼル部37は、圃場からの土圧を受けて前当接部分97と前受部分95とが当接した状態となって、心土破砕作業をする。
【００６７】
図１５に示すように、他の状態時つまり土中の石等の障害物Ａとの当接時には、チゼル部37は、障害物Ａから受ける力で回動し、後当接部分98と後受部分96とが当接した状態となる。そして、障害物Ａからチゼル部37にさらに大きな力が加わると、図３に示されるように、チゼル部37は、ナイフ部36と一体となって、コイルばね41の付勢力に抗して軸34を中心として上方に回動し、障害物Ａから逃げる。
【００６８】
このように図１２に示す構成を備えた農作業機１によれば、上記実施の形態による作用効果に加え、破砕体被取付部31の上下位置を調整することによって心土破砕体30の作業深さを簡単に調整でき、また例えばチゼル部37がナイフ部36の下端部に固設された構成等に比べて、チゼル部37の耐久性の向上を図ることができる。さらに例えば、ナイフ部36の下端部にチゼル部37が２本のボルトで固定された構成では、障害物Ａとの当接（衝突）の際に、ボルトに大きな力が作用してボルトが破損する不具合が生じるおそれがあるが、図１２の農作業機１ではそのようなボルト破損の不具合の発生を防止できる。
【００６９】
なお、上記各実施の形態の構成を適宜組み合わせることも可能であり、例えば図１２に示す取付板33に対する破砕体被取付部31の取付構成や、チゼル部37の回動構成を図１に示すものに適用した農作業機１でもよい。
【符号の説明】
【００７０】
１    農作業機
２    走行車であるトラクタ
３    後輪
５    作業機本体
11    耕耘体
16    整地体
30    心土破砕体
31    破砕体被取付部
33    取付部である取付板
36    心土破砕本体部であるナイフ部
41    付勢体であるコイルばね
45    ロッド
51    回動体である上回動体
52    ロッド用孔部
56    作業深さ調整用ナット
57    付勢力調整用ナット
71    付勢体であるコイルばね
95    前受部分
96    後受部分
【図１】
2010081932.tif 000003
【図２】
2010081932.tif 000004
【図３】
2010081932.tif 000005
【図４】
2010081932.tif 000006
【図５】
2010081932.tif 000007
【図６】
2010081932.tif 000008
【図７】
2010081932.tif 000009
【図８】
2010081932.tif 000010
【図９】
2010081932.tif 000011
【図１０】
2010081932.tif 000012
【図１１】
2010081932.tif 000013
【図１２】
2010081932.tif 000014
【図１３】
2010081932.tif 000015
【図１４】
2010081932.tif 000016
【図１５】
2010081932.tif 000017